(57)【要約】      （修正有）【課題】発光ダイオードを無色に統一でき、発光ダイオードを取り囲むブッシュに赤色や緑色などの有色半透明部材を取り付けるだけで無色の発光ダイオードで異なる色を発光できてコストダウンを図ることができる発光ダイオードの照明装置を提供する。【解決手段】基板１に実装された無色の発光ダイオード２を略円筒状のブッシュ３で取り囲むようにし、ブッシュは開設部３ａを有すると共に内面の下側に底板５を保持するための横溝６が形成され、上端には色付きセロハン４が貼着され、底板における開設部側に無色の発光ダイオードの端子７を入れるための二股状の切り欠き８が設けられ、一方の切り欠きの端面には発光ダイオードの端子を係止して抜け止めするための山谷状の凹凸部９が設けられ、発光ダイオードを端子が底板の切り欠きに挿入されてブッシュ内に配置した状態でブッシュの本体部分を底板に対して回転し、開設部が後側に位置するようにした。【選択図】図１
2008108532.tif 000002
【特許請求の範囲】
【請求項１】
基板に実装された発光ダイオードを円筒状のブッシュで取り囲むようにした発光ダイオードの照明装置において、前記ブッシュは開設部を有すると共に内面の下側に底板を保持するための横溝が形成され、上端には色付きセロハンが貼着され、前記底板における前記開設部側に無色の発光ダイオードの端子を入れるための二股状の切り欠きが設けられ、一方の切り欠きの端面には発光ダイオードの端子を係止して抜け止めするための山谷状の凹凸部が設けられており、前記発光ダイオードを端子が前記底板の切り欠きに挿入されて前記ブッシュ内に配置した状態で前記ブッシュの本体部分を前記底板に対して回転し、前記開設部が後側に位置するように構成したことを特徴とする発光ダイオードの照明装置。
【請求項２】
基板に実装された発光ダイオードを円筒状のブッシュで取り囲むようにした発光ダイオードの照明装置において、前記ブッシュは開設部を有すると共に底部に底板が設けられ、上端には有色半透明部材が取り付けられ、前記底板における前記開設部側に無色の発光ダイオードの端子を入れるための切り欠きが設けられ、この切り欠きに発光ダイオードの端子が挿入されることにより、発光ダイオードが前記ブッシュ内に配置されるように構成したことを特徴とする発光ダイオードの照明装置。
【請求項３】
前記ブッシュの内面に底板を保持するための横溝が形成されている請求項２に記載の発光ダイオードの照明装置。
【請求項４】
前記ブッシュの上端近傍箇所の内面に横溝が形成され、この横溝に前記有色半透明部材が挿入されるようにした請求項２又は３に記載の発光ダイオードの照明装置。
【請求項５】
前記有色半透明部材は、色付きプラスチックである請求項４に記載の発行ダイオードの照明装置。
【請求項６】
基板に実装された発光ダイオードを円筒状のブッシュで取り囲むようにした発光ダイオードの照明装置において、前記ブッシュは開設部を有し、前記ブッシュの下端に前記基板に形成された係入孔に係入係止される係止爪部が形成され、前記ブッシュの上端側に有色半透明部材が取り付けられ、前記ブッシュの内側に前記開設部から挿入された無色の発光ダイオードが配置されるように構成したことを特徴とする発光ダイオードの照明装置。
【発明の詳細な説明】
【技術分野】
【０００１】
本発明は、基板に実装された発光ダイオードを円筒状のブッシュで取り囲むようにした発光ダイオードの照明装置に関するものである。
【背景技術】
【０００２】
従来の発光ダイオードの照明装置は、赤や緑等の有色の発光ダイオードが用いられ、これらの発光ダイオードに円筒状のブッシュで取り囲むようにしていた。ところが、有色の発光ダイオードを用いたために、複数の有色の発光ダイオードを必要とし、部品点数も多くなりコスト高になるという問題があった。
【０００３】
第１の従来技術を図５に示す。この従来のＬＥＤ照明装置は、図５に示すように、樹脂製のキャップ部材１０４を、ＬＥＤ１０１ａをその外周から被覆するようにＬＥＤ１０１ａに装着する。キャップ部材１０４の樹脂内部にＬＥＤ１０１ａの発光波長を変換するための蛍光顔料を混入する。色調変更の場合には、異なった色調の蛍光顔料を混入した別のキャップ部材に交換する。（例えば、特許文献１参照）。
【０００４】
ところが、これにおいては、複数の色の蛍光塗料を混入した樹脂製のキャップ部材１０４を必要とするために、部品点数が多くなり、コスト高になるという問題があった。
【０００５】
第２の従来技術を図６に示す。この従来の半導体発光装置は、図６に示すように、複数のリード２０２、２０４と、複数のリード２０２、２０４間に電気的に接続された半導体発光素子２０５と、複数のリード２０２、２０４の一端及び半導体発光素子２０５を封止する樹脂封止体２０７と、樹脂封止体２０７の外面に被着され且つ蛍光体を含む透光性の蛍光カバー２０９とを備えている。半導体発光素子２０５から照射した光により樹脂封止体２０７を介して蛍光カバー２０９中の蛍光体を励起するので、蛍光カバー２０９によって市販の半導体発光素子２０５から生ずる光とは異なる波長の光を取り出すことができる。（例えば、特許文献２参照）。
【０００６】
ところが、これにおいては、蛍光カバー２０９の色を異なるものにするためには、複数の色の蛍光カバー２０９を有する樹脂封止体２０７を複数必要とするために、コスト高になるという問題があった。
【０００７】
第３の従来技術を図７に示す。この従来の照明装置は、図７に示すように、リードフレーム３０２の先端部には青色ＬＥＤチップ３０１が設けられ、リードフレーム３０２にはベース板３０３が取付けられている。ベース板３０３には青色ＬＥＤチップ３０１を覆うようにキャップ部材３０４が取付けられている。このキャップ部材３０４の内部には、キャップ部材３０４の内周面に沿って蛍光顔料が塗布されて蛍光顔料層３０５が均一の厚みを持って形成されている。また、キャップ部材３０４の外側にはキャップ部材３０４の外周面に沿って紫外線吸収層３０６が均一の厚みを持って形成されている。（例えば、特許文献３参照）。
【０００８】
ところが、これにおいては、内側に蛍光塗料が塗布された蛍光顔料層３０５が形成されたキャップ部材３０４を使用しているから、異なる色の蛍光塗料層３０５が形成された複数のキャップ部材３０４を必要とするためにコスト高になるという問題があった。
【特許文献１】特開２００１−３２００９１号公報
【特許文献２】特開平１０−２００１６５号公報
【特許文献３】特開平９−２７６４２号公報
【発明の開示】
【発明が解決しようとする課題】
【０００９】
本発明は、上記従来の問題に鑑みてなされたものであって、発光ダイオードを無色に統一でき、発光ダイオードを取り囲むブッシュに赤色や緑色などの有色半透明部材を取り付けるだけで無色の発光ダイオードで異なる色を発光できてコストダウンを図ることができる発光ダイオードの照明装置を提供することを目的としている。
【課題を解決するための手段】
【００１０】
本発明は、上記課題を解決するために提案されたものであって、請求項１に記載の発明は、基板に実装された発光ダイオードを円筒状のブッシュで取り囲むようにした発光ダイオードの照明装置において、前記ブッシュは開設部を有すると共に内面の下側に底板を保持するための横溝が形成され、上端には色付きセロハンが貼着され、前記底板における前記開設部側に無色の発光ダイオードの端子を入れるための二股状の切り欠きが設けられ、一方の切り欠きの端面には発光ダイオードの端子を係止して抜け止めするための山谷状の凹凸部が設けられており、前記発光ダイオードを端子が前記底板の切り欠きに挿入されて前記ブッシュ内に配置した状態で前記ブッシュの本体部分を前記底板に対して回転し、前記開設部が後側に位置するように構成したことを特徴としている。
【００１１】
請求項２に記載の発明は、基板に実装された発光ダイオードを円筒状のブッシュで取り囲むようにした発光ダイオードの照明装置において、前記ブッシュは開設部を有すると共に底部に底板が設けられ、上端には有色半透明部材が取り付けられ、前記底板における前記開設部側に無色の発光ダイオードの端子を入れるための切り欠きが設けられ、この切り欠きに発光ダイオードの端子が挿入されることにより、発光ダイオードが前記ブッシュ内に配置されるように構成したことを特徴としている。
【００１２】
請求項３に記載の発明は、請求項２の発明において、前記ブッシュの内面に底板を保持するための横溝が形成されている。
【００１３】
請求項４に記載の発明は、請求項２又は３に記載の発明において、前記ブッシュの上端近傍箇所の内面に横溝が形成され、この横溝に前記有色半透明部材が挿入されるようにした。
【００１４】
請求項５に記載の発明は、請求項４に記載の発明において、前記有色半透明部材は、色付きプラスチックである。
【００１５】
請求項６に記載の発明は、基板に実装された発光ダイオードを円筒状のブッシュで取り囲むようにした発光ダイオードの照明装置において、前記ブッシュは開設部を有し、前記ブッシュの下端に前記基板に形成された係入孔に係入係止される係止爪部が形成され、前記ブッシュの上端側に有色半透明部材が取り付けられ、前記ブッシュの内側に前記開設部から挿入された無色の発光ダイオードが配置されるように構成したことを特徴としている。
【発明の効果】
【００１６】
請求項１に記載の発明によれば、ブッシュの内部に無色の発光ダイオードを配置し、上端に色付きセロハンを貼着しているから、発光ダイオードを無色に統一することができて、コストダウンを図ることができる。また、発光ダイオードの端子を底板の二股状の切り欠きに入れることによって、一つの切り欠きに山谷状の凹凸部が形成されているから、この凹凸部によって端子が抜けることを防止できる。更に、底板がブッシュの内面の下側に形成された横溝に保持されているから、切り欠きに端子が入れられた底板に対してブッシュの本体部分を回転できることにより、ブッシュの開設部を裏側に位置することができ、隣り合う発光ダイオード同士の光が互いに干渉することを防ぐことができる。
【００１７】
請求項２に記載の発明によれば、ブッシュの内部に無色の発光ダイオードを配置し、上端に有色半透明部材が取り付けられるから、発光ダイオードを無色に統一することができて、コストダウンを図ることができる。
【００１８】
請求項３に記載の発明によれば、ブッシュの内面に形成された横溝に底板が保持されているから、底板に対してブッシュの本体部を回転してブッシュの開設部を裏側に位置することができる。
【００１９】
請求項４に記載の発明によれば、ブッシュの上端近傍箇所の内面に形成された横溝に有色半透明部材を挿入することができるので、この有色半透明部材を簡単にブッシュの上端近傍箇所の内面の横溝に挿入して取り付けることができる。
【００２０】
請求項５に記載の発明によれば、有色半透明部材が色付きプラスチックであるから、コストダウンを図ることができる。
【００２１】
請求項６に記載の発明によれば、内側に発光ダイオードが配置されるブッシュの下端に形成された係止爪部を基板に形成された係入孔に係入係止できるから、ブッシュを基板に強固に固定することができ、更に、底板を必要としないから、部品点数を少なくすることができて、コストダウンを図ることができる。
【発明を実施するための最良の形態】
【００２２】
以下、本発明に係る発光ダイオードの照明装置の実施の形態について、図を参照しつつ説明する。
【００２３】
図１は本発明の第１実施形態の発光ダイオードの照明装置を示し、（ａ）はその斜視図、（ｂ）はその断面図、（ｃ）はその要部の概略平面図、図２はブッシュと発光ダイオードが基板に複数列配置された状態の裏面図である。
【００２４】
この第１実施形態の発光ダイオードの照明装置は、図１（ａ）（ｂ）（ｃ）に示すように、基板１に実装された無色の発光ダイオード２を略円筒状のブッシュ３で取り囲み、ブッシュ２の上端には色付きセロハン４が貼着されている。ブッシュ３は開設部３ａを有し、内面の下側に底板５を保持するための横溝６が形成され、底板５における開設部３ａ側に無色の発光ダイオード２の端子７を入れるための二股状の切り欠き８が設けられ、一方の切り欠き８には山谷状の凹凸部９が設けられている。この山谷状の凹凸部９によって発光ダイオード２の端子７が抜け止めされるようになっている。ブッシュ３の本体部分は、横溝６に入れられた底板５に対して回転し、開設部３ａが後側に位置するようにすることができるようになっている。無色の発光ダイオード２の端子７は基板１に挿通されて基板１の裏側で半田１０で固定されるようになっている。また、図２に示すように、複数列の無色の発光ダイオード２が基板１に実装されていて、これらの無色の発光ダイオード２を取り囲む複数列のブッシュ３の開設部３ａがそれぞれ後側に向いていて、無色のダイオード２同士の発光が互いに干渉しないようにすることができるようになっている。
【００２５】
従って、第１実施形態によれば、ブッシュ３の内部に無色の発光ダイオード２を配置し、上端に色付きセロハン４を貼着しているから、発光ダイオード２を無色に統一することができて、コストダウンを図ることができる。また、発光ダイオード２の端子７を底板５の二股状の切り欠き８に入れることによって、一つの切り欠き８に山谷状の凹凸部９が形成されているから、この凹凸部９によって端子７が抜けることを防止できる。更に、底板５がブッシュ３の内面の下側に形成された横溝６に保持されているから、切り欠き８に端子７が入れられた底板５に対してブッシュ３の本体部分を回転できることにより、ブッシュ３の開設部３ａを裏側に位置することができ、隣り合う発光ダイオード２同士の光が互いに干渉することを防ぐことができる。
【００２６】
図３は第２実施形態の発光ダイオードの照明装置を示し、（ａ）はその斜視図、（ｂ）はその断面図、（ｃ）はその要部の概略平面図である。
【００２７】
この第２実施形態の発光ダイオードの照明装置は、図３（ａ）（ｂ）（ｃ）に示すように、底板５Ａがブッシュ３Ａの本体部分と一体に形成され、この底板５Ａにおける開設部３ａ側に向けて切り欠き８Ａが形成されている。ブッシュ３Ａの上端近傍箇所の内面に横溝１１が形成され、この横溝１１に色付きプラスチック１２が挿入されるようになっている。
【００２８】
従って、この第２実施形態によれば、底板５Ａがブッシュ３Ａの本体部分と一体に形成されているから、底板５Ａをブッシュ３Ａの一体成型で形成することができる。更に、ブッシュ３Ａの上端近傍箇所の内面に形成された横溝１１に色付きプラスチック１２を挿入することができるので、この色付プラスチック１２を簡単にブッシュ３Ａの上端近傍箇所の内面の横溝１１に挿入して取り付けることができる。また、色付きプラスチック１２を使用しているから、コストダウンを図ることができる。
【００２９】
図４は第３実施形態の発光ダイオードの照明装置を示し、（ａ）はその斜視図、（ｂ）はその断面図である。
【００３０】
この第３実施形態の発光ダイオードの照明装置は、図４（ａ）（ｂ）に示すように、ブッシュ３Ｂの下端に基板１に形成された係入孔１３、１３に係入係止される係止爪部１４、１４が形成されている。ブッシュ３Ｂの内部には開設部３ａから挿入された無色の発光ダイオード２が配置され、このブッシュ３Ｂの上端には、色付きセロハン４が貼着されている。
【００３１】
従って、この第３実施形態によれば、内側に発光ダイオード２が配置されるブッシュ３Ｂの下端に形成された係止爪部１４、１４を基板１に形成された係入孔１３、１３に係入係止できるから、ブッシュ３Ｂを基板１に強固に固定することができ、更に、底板を必要としないから、部品点数を少なくすることができて、コストダウンを図ることができる。
【００３２】
尚、本発明は、上記各実施形態に限らず、各実施形態を組み合わせた他の構成のものも含むことは勿論である。
【図面の簡単な説明】
【００３３】
【図１】本発明の第１実施形態の発光ダイオードの照明装置を示し、（ａ）はその斜視図、（ｂ）はその断面図、（ｃ）はその要部の概略平面図である。
【図２】ブッシュと発光ダイオードが基板に複数列配置された状態の裏面図である。
【図３】第２実施形態の発光ダイオードの照明装置を示し、（ａ）はその斜視図、（ｂ）はその断面図、（ｃ）はその要部の概略平面図である。
【図４】第３実施形態の発光ダイオードの照明装置を示し、（ａ）はその斜視図、（ｂ）はその断面図である。
【図５】従来のＬＥＤ照明装置の断面図である。
【図６】従来の半導体発光装置の断面図である。
【図７】従来の照明装置の断面図である。
【符号の説明】
【００３４】
１      基板
２      無色の発光ダイオード
３      ブッシュ
３Ａ    ブッシュ
３Ｂ    ブッシュ
３ａ    開設部
４      色付きセロハン
５      底板
５Ａ    底板
６      横溝
７      端子
８      二股状の切り欠き
８Ａ    切り欠き
９      山谷状の凹凸部
１０    半田
１１    横溝
１２    色付きプラスチック
１３    係入孔
１４    係止爪部
【図１】
2008108532.tif 000003
【図２】
2008108532.tif 000004
【図３】
2008108532.tif 000005
【図４】
2008108532.tif 000006
【図５】
2008108532.tif 000007
【図６】
2008108532.tif 000008
【図７】
2008108532.tif 000009